(57)【要約】【課題】  写真立て等の機能を備える収容箱を提供する。【解決手段】  蓋部３を自立させるためのスタンド部４を設けるとともに、蓋部３の表面側に文字が記載される文字記入領域３Ｅ及び写真やポストカードのための開口窓３Ｃを設ける。これにより、例えば贈り物を収容箱本体部２に入れた上で、蓋部３にその贈り物に添えた言葉（詩）を記載すれば、この収容箱を受け取った人は、蓋部３を自立させることにより、贈り物に添えて送られてきた言葉と写真とをいつでも見ることができるので、贈り物を受けた人に対して強い感動を与えることができる。【選択図】  図３
2008167847.tif 000002
【特許請求の範囲】
【請求項１】
開口部が設けられた収容空間を構成する収容箱本体部と、
前記開口部を閉塞する蓋部と、
前記蓋部に設けられ、前記蓋部を自立させるためのスタンド部とを有し、
前記蓋部の表面側には、文字が記載される文字記入領域が設けられていることを特徴とする収容箱。
【請求項２】
開口部が設けられた収容空間を構成する収容箱本体部と、
前記開口部を閉塞する蓋部と、
前記蓋部に設けられ、前記蓋部を自立させるためのスタンド部と、
前記蓋部に設けられ、カード状の薄板部材が着脱可能に装着されるカード装着部とを有することを特徴とする収容箱。
【請求項３】
前記カード装着部は、前記蓋部の裏面側に設けられており、
さらに、前記蓋部のうち前記カード装着部が設けられた部位に対応する箇所には、前記蓋部の表裏を貫通する開口窓が設けられていることを特徴とする請求項２に記載の収容箱。
【請求項４】
前記蓋部の表面側には、文字が記載される文字記入領域が設けられていることを特徴とする請求項２又は３に記載の収容箱。
【発明の詳細な説明】
【技術分野】
【０００１】
本発明は、贈り物やカタログ雑誌等を収納する収納箱に関するものである。
【背景技術】
【０００２】
写真立て（フォトフレーム）又は詩や歌（和歌）等の文章（言葉）が記載された色紙等を自立させるものは、通常、写真又は色紙等が固定されたフレーム部材に、このフレーム部材を自立させるための脚部を設けた構造となっている。（例えば、特許文献１の図８参照）。
【特許文献１】実公平７−２７９９２号公報
【発明の開示】
【発明が解決しようとする課題】
【０００３】
しかし、上記のような一般的な写真立て等は、写真や色紙等を自立させる機能のみであり、他の機能を有しておらず、他の用途に使用できないという問題がある。
【課題を解決するための手段】
【０００４】
本発明は、上記目的を達成するために、請求項１に記載の発明では、開口部（２Ｄ）が設けられた収容空間（２Ａ）を構成する収容箱本体部（２）と、開口部（２Ｄ）を閉塞する蓋部（３）と、蓋部（３）に設けられ、蓋部（３）を自立させるためのスタンド部（４）とを有し、蓋部（３）の表面側には、文字が記載される文字記入領域（３Ｅ）が設けられていることを特徴とする。
【０００５】
これにより、請求項１に記載の発明では、例えば贈り物を収容箱本体部（２）に入れた上で、蓋部（３）にその贈り物に添えた言葉（詩）を記載すれば、この収容箱を受け取った人は、蓋部（３）を自立させることにより、贈り物に添えて送られてきた言葉をいつでも見ることができるので、贈り物を受けた人に対して強い感動を与えることができる。
【０００６】
請求項２に記載の発明では、開口部（２Ｄ）が設けられた収容空間（２Ａ）を構成する収容箱本体部（２）と、開口部（２Ｄ）を閉塞する蓋部（３）と、蓋部（３）に設けられ、蓋部（３）を自立させるためのスタンド部（４）と、蓋部（３）に設けられ、カード状の薄板部材が着脱可能に装着されるカード装着部（３Ｄ）とを有することを特徴とする。
【０００７】
これにより、請求項２に記載の発明では、例えば贈り物を収容箱本体部（２）に入れた上で、蓋部（３）にその贈り物に関連した写真やカード等を添えれば、この収容箱を受け取った人は、蓋部（３）を自立させることにより、贈り物に添えて送られてきた写真やカード等をいつでも見ることができるので、贈り物を受けた人に対して強い感動を与えることができる。
【０００８】
請求項３に記載の発明では、カード装着部（３Ｄ）は、蓋部（３）の裏面側に設けられており、さらに、蓋部（３）のうちカード装着部（３Ｄ）が設けられた部位に対応する箇所には、蓋部（３）の表裏を貫通する開口窓（３Ｃ）が設けられていることを特徴とする。
【０００９】
これにより、請求項３に記載の発明では、蓋部（３）を写真立てとしても使用することができるので、収容箱の利用性を広げることができる。
請求項４に記載の発明では、蓋部（３）の表面側には、文字が記載される文字記入領域（３Ｅ）が設けられていることを特徴とする。
【００１０】
これにより、請求項４に記載の発明では、請求項１に記載の発明と同様に、例えば贈り物を収容箱本体部（２）に入れた上で、蓋部（３）にその贈り物に添えた言葉（詩）を記載すれば、この収容箱を受け取った人は、蓋部（３）を自立させることにより、贈り物に添えて送られてきた言葉をいつでも見ることができるので、贈り物を受けた人に対して強い感動を与えることができる。
【００１１】
因みに、上記各手段等の括弧内の符号は、後述する実施形態に記載の具体的手段等との対応関係を示す一例であり、本発明は上記各手段等の括弧内の符号に示された具体的手段に限定されるものではない。
【発明を実施するための最良の形態】
【００１２】
以下に本発明の実施形態を図面と共に説明する。
図１は本実施形態に係る収容箱１の外観図であり、図２は収容箱１から蓋部３を取り外した状態を示す図であり、図３及び図４は蓋部３を自立させた状態を示す図であり、図５は自立させた蓋部３を裏面側から見た図である。
【００１３】
１．収容箱の構造
収容箱１は、図２に示すように、収容箱本体部２及び蓋部３から構成されており、本実施形態では、収容箱本体部２及び蓋部３は、桐等の材木にて形成されている。
【００１４】
そして、収容箱本体部２は、贈り物等の被収容体を収容する収容空間２Ａを構成するもので、具体的には、底板部２Ｂ及びこの底板部２Ｂの外縁部に設けられた枠状の側板部２Ｃにて構成されている。蓋部３は収容箱本体部２の開口部２Ｄを閉塞するものであり、この蓋部３は、収容箱本体部２に対して着脱可能に組み付けられる。
【００１５】
また、本実施形態では、蓋部３も収容箱本体部２と同様な構造となっており、具体的には、図４に示すように、蓋板部３Ａ及びこの蓋板部３Ａの外縁部に設けられた枠状の側板部３Ｂから構成されている。
【００１６】
そして、本実施形態では、図２に示すように、収容箱本体部２の底板部２Ｂ及び蓋部３の蓋板部３Ａは共に矩形板状に形成されているとともに、収容箱本体部２の側板部２Ｃには、蓋部３の側板部３Ｂの内壁に接触して、蓋部３が収容箱本体部２に装着されたときに蓋部３が収容箱本体部２に対してずれてしまうこと防止する規制壁２Ｅが設けられている。
【００１７】
また、蓋板部３Ａには、蓋部３（蓋板部３Ａ）の表裏を貫通する矩形状の開口窓３Ｃが設けられており、この開口窓３Ｃが設けられた部位には、カード装着部３Ｄが開口窓３Ｃを閉塞するように蓋部３（蓋板部３Ａ）の裏面側に設けられている。
【００１８】
カード装着部３Ｄは、写真やポストカード等のカード状の薄板部材が着脱可能に装着（挿入）されるものであり、本実施形態に係るカード装着部３Ｄは、少なくとも表面側が透明な部材で構成された封筒状のものである。
【００１９】
そして、蓋部３（蓋板部３Ａ）の表面のうち開口窓３Ｃの下方側には、詩や和歌等の言葉（文章）が記載される文字記入領域３Ｅが設けられている。なお、文字記入領域３Ｅに記載される言葉は、収容箱１（蓋部３）の製造時に記載される場合に限定されるものではなく、収容箱１の製造完了後、エンドユーザや小売店等の中間ユーザ等が自ら記入してもよい。
【００２０】
また、蓋部３（蓋板部３Ａ）の裏面側には、図４に示すように、蓋部３を自立させるためのスタンド部４が設けられている。なお、このスタンド部４は、ヒンジ機構４Ａを介して蓋板部３Ａに揺動可能に組み付けられた脚部４Ｂにて構成されており、蓋部３を自立させる際には、脚部４Ｂが蓋板部３Ａに対して離隔するように開いてスタンド部４を使用する。
【００２１】
そして、ヒンジ機構４Ａには、脚部４Ｂが所定角度（例えば、３０度）以上に開くことを規制するストッパ手段（図示せず。）が設けられているため、蓋部３は、テーブル等の設置面に対して所定角度を維持したまま自立する。
【００２２】
なお、本実施形態では、脚部４Ｂは設置面に対して傾いた方向に揺動可能であるため、本実施形態では、脚部４Ｂの先端側に設置面と平行になるような傾斜部４Ｃを形成することにより、設置面と脚部４Ｂとの接触長さが過度に小さくなることを防止している。
【００２３】
２．本実施形態に係る収容箱の特徴
本実施形態では、蓋部３を自立させるためのスタンド部４が設けられ、かつ、蓋部３の表面側には、文字が記載される文字記入領域３Ｅが設けられているので、例えば贈り物を収容箱本体部２に入れた上で、蓋部３にその贈り物に添えた言葉（詩）を記載すれば、この収容箱を受け取った人は、蓋部３を自立させることにより、贈り物に添えて送られてきた言葉をいつでも見ることができる。このため、この収容箱１にて贈り物を届ければ、贈り物を受けた人に対して強い感動を与えることができる。
【００２４】
また、蓋部３にカード装着部３Ｄが設けられているので、例えば贈り物を収容箱本体部２に入れた上で、蓋部３にその贈り物に関連した写真やカード等を添えれば、この収容箱を受け取った人は、蓋部３を自立させることにより、贈り物に添えて送られてきた写真やカード等をいつでも見ることができる。このため、この収容箱１にて贈り物を届ければ、贈り物を受けた人に対して強い感動を与えることができる。
【００２５】
また、蓋部３のうちカード装着部３Ｄが設けられた部位に開口窓３Ｃが設けられているので、蓋部３を写真立てとしても使用することができ、収容箱１の利用性を広げることができる。
【００２６】
（その他の実施形態）
上述の実施形態では、蓋部３に文字記入領域３Ｅ及びカード装着部３Ｄの両者を設けたが、本発明はこれに限定されるものではなく、いずれか一方のみを設けてもよい。
【００２７】
また、上述の実施形態では、カード装着部３Ｄを蓋板部３Ａの裏面側に設けたが、本発明はこれに限定されるものではなく、表面側に設けても良い。なお、カード装着部３Ｄを蓋板部３Ａの表面側に設ければ、開口窓３Ｃを廃止してもよい。
【００２８】
また、上述の実施形態では、蓋板部３Ａに揺動可能に組み付けられた脚部４Ｂによりスタンド部４が構成されていたが、本発明はこれに限定されるものではなく、例えば蓋板部３Ａに固定された棒状の部材により脚部４Ｂを構成してもよい。
【００２９】
また、脚部４Ｂが閉じられた状態において、スタンド部４全体が蓋板部３Ａの裏面側表面から突出しないように、スタンド部４全体を、蓋板部３Ａに形成された凹部に組み付けてもよい。
【００３０】
また、上述の実施形態では、収容箱本体部２及び蓋部３を共に木製としたが、本発明はこれに限定されるものではなく、収容箱本体部２及び蓋部３のうち少なくとも一方を、例えば紙、樹脂（プラスチック）又は金属にて構成してもよい。
【００３１】
また、本発明は、特許請求の範囲に記載された発明の趣旨に合致するものであればよく、上述の実施形態に限定されるものではない。
【図面の簡単な説明】
【００３２】
【図１】本実施形態に係る収容箱１の外観図である。
【図２】本実施形態に係る収容箱１において、収容箱１から蓋部３を取り外した状態を示す図である。
【図３】本実施形態に係る収容箱１において、蓋部３を自立させた状態を示す図である。
【図４】本実施形態に係る収容箱１において、蓋部３を自立させた状態を示す図である。
【図５】本実施形態に係る収容箱１において、自立させた蓋部３を裏面側から見た図である。
【符号の説明】
【００３３】
１…収容箱、２…収容箱本体部、２Ａ…収容空間、２Ｂ…底板部、２Ｃ…側板部、
２Ｄ…開口部、２Ｅ…規制壁、３…蓋部、３Ａ…蓋板部、３Ｂ…側板部、
３Ｃ…開口窓、３Ｄ…カード装着部、３Ｅ…文字記入領域、
４…スタンド部、４Ａ…ヒンジ機構、４Ｂ…脚部、４Ｃ…傾斜部。
【図１】
2008167847.tif 000003
【図２】
2008167847.tif 000004
【図３】
2008167847.tif 000005
【図４】
2008167847.tif 000006
【図５】
2008167847.tif 000007